(57)【特許請求の範囲】
【請求項１】
原稿画像を読み取る読取手段からの入力画像を処理する画像処理装置において、
原稿の地肌レベルを検出する地肌検出手段と、
出力画像の濃度指示情報を設定する濃度設定手段と、
前記濃度設定手段で設定された濃度指示情報の濃度が高いほど地肌レベルのオフセット値が小さくなるように地肌レベルオフセット値を設定するオフセット値設定手段と、
前記地肌検出手段により検出された地肌レベルと前記オフセット値設定手段により設定された地肌レベルオフセット値に基づいて前記入力画像に対して地肌除去を行なう除去手段と、
前記濃度指示情報に応じて前記除去手段による地肌除去後の画像の濃度を調整する調整手段と
を設けたことを特徴とする画像処理装置。
【請求項２】
前記オフセット値設定手段は、原稿が片面原稿であるときには前記地肌レベルオフセット値が低くなるように設定し、原稿が両面原稿であるときには前記地肌レベルオフセット値が高くなるように設定することを特徴とする請求項１記載の画像処理装置。
【請求項３】
前記オフセット値設定手段は、原稿の属性が文字であるときには前記地肌レベルオフセット値が高くなるように設定し、原稿の属性が写真であるときには前記地肌レベルオフセット値が低くなるように設定することを特徴とする請求項１または請求項２記載の画像処理装置。
【請求項４】
原稿画像を読み取る読取手段からの入力画像を処理する画像処理装置において、
原稿の地肌レベルを検出する地肌検出手段と、
原稿の透過率を検出する透過率検出手段と、
前記透過率検出手段により検出された透過率が高いほど地肌レベルのオフセット値が高くなるように地肌レベルオフセット値を設定するオフセット値設定手段と、
前記地肌検出手段により検出された地肌レベルと前記オフセット値設定手段により設定されたオフセット値に基づいて前記入力画像に対して地肌除去を行なう除去手段と
を設けたことを特徴とする画像処理装置。
【請求項５】
原稿画像を読み取る読取手段からの入力画像を処理する画像処理装置において、
原稿の地肌レベルを検出する地肌検出手段と、
前記読取手段の読み取り対象が移動原稿のときには地肌レベルオフセット値が高くなるように設定し、固定原稿のときには地肌レベルオフセット値が低くなるように設定するオフセット値設定手段と、
前記地肌検出手段により検出された地肌レベルと、前記オフセット値設定手段により設定された地肌レベルオフセット値に基づいて前記入力画像に対して地肌除去を行う除去手段と
を設けたことを特徴とする画像処理装置。
【請求項６】
原稿画像を読み取る読取手段からの入力画像を処理する画像処理方法において、
原稿の地肌レベルを検出する地肌検出ステップと、
出力画像の濃度指示情報を設定する濃度設定ステップと、
前記濃度設定ステップで設定された濃度指示情報の濃度が高いほど地肌レベルのオフセット値が小さくなるように地肌レベルオフセット値を設定するオフセット値設定ステップと、
前記地肌検出ステップにより検出された地肌レベルと前記オフセット値設定ステップにより設定された地肌レベルオフセット値に基づいて前記入力画像に対して地肌除去を行なう除去ステップと、
前記濃度指示情報に応じて前記除去ステップによる地肌除去後の画像の濃度を調整する調整ステップと
を備えたことを特徴とする画像処理方法。
【請求項７】
原稿画像を読み取る読取手段からの入力画像を処理する画像処理方法において、
原稿の地肌レベルを検出する地肌検出ステップと、
原稿の透過率を検出する透過率検出ステップと、
前記透過率検出手段により検出された透過率が高いほど地肌レベルのオフセット値が高くなるように地肌レベルオフセット値を設定するオフセット値設定ステップと、
前記地肌検出ステップにより検出された地肌レベルと前記オフセット値設定ステップにより設定されたオフセット値に基づいて前記入力画像に対して地肌除去を行なう除去ステップと
を備えたことを特徴とする画像処理方法。
【請求項８】
原稿画像を読み取る読取手段からの入力画像を処理する画像処理方法において、
原稿の地肌レベルを検出する地肌検出ステップと、
前記読取手段の読み取り対象が移動原稿のときには地肌レベルオフセット値が高くなるように設定し、固定原稿のときには地肌レベルオフセット値が低くなるように設定するオフセット値設定ステップと、
前記地肌検出ステップにより検出された地肌レベルと、前記オフセット値設定ステップにより設定された地肌レベルオフセット値に基づいて前記入力画像に対して地肌除去を行う除去ステップと
を備えたことを特徴とする画像処理方法。
【発明の詳細な説明】
【０００１】
【発明の属する技術分野】
本発明は、原稿を電子的に読み取り、画像処理を行ない、処理後の画像情報を出力する画像処理装置および画像処理方法に関する。
【０００２】
【従来の技術】
画像処理装置において、入力画像から地肌濃度検出を行い、その検出した地肌濃度に基づいて地肌濃度を除去することは従来から知られていた。地肌濃度検出においては、原稿の状態によって検出レベルに変動が生じるので、その変動の幅を吸収するため地肌濃度にオフセット値を加えることが提案されている（特開平３−６８２７０号公報）。
また、他の従来技術においては、注目領域における閾値に対する濃度検出による低濃度性と濃度変動検出による濃度の連続性に基づき地肌を検出して、地肌の除去を行ない、その際、さらに前処理ラインの最大地肌濃度に所定オフセット値を加算して所定の前記閾値を設定することが提案されている（特開平６−２１７１４０号公報）。
【０００３】
また、画像処理装置において、従来から原稿の透過率を検出しその値に応じて出力画像を調整する方法はいくつか知られている。例えば、原稿の透過率を検出し、その値に応じて画像形成装置の感光帯に帯電させる電圧を調整する方法（特開平１−３１８４６０号公報）、原稿の透過率を検出し、その値に応じて画像形成装置の現像電圧を調整する方法（特開平２−５３０８２号公報）、原稿を厚みセンサ−により透過率を算出し、その値に応じて原稿を照射するハロゲンランプの光量を調整する方法（特開平４−３４６３６６号公報）などがある。
【０００４】
【発明が解決しようとする課題】
地肌濃度検出とオフセット値に基づいて地肌の除去を行う従来の技術においては、オフセット値は予め定めた一定の値であり、しかも濃度調整指示や両面原稿の指示などのユ−ザ−の指示に対して最適な値でなかったため、例えば地肌除去モ−ドでかつ濃度調整を行なった場合、低濃度の文字が再現されないなどの問題点があった。
本発明は地肌除去を行う場合の従来技術の問題点を解決し、ユーザの指示に適合するオフセット値を設定し、適切な地肌除去を行うことのできる画像処理装置を得ることを課題とする。
原稿の透過率を検出しその値に応じて出力画像を調整する従来の技術においては、いずれも画像形成装置の現象、帯電、露光などの値を変更せねばならず、その制御にフィ−ドバック回路などを必要とするため、装置の低コスト化などを妨げていた。
そこで、本発明は、画像形成装置の現像、帯電、露光などの値を変更することなく出力画像の調整を可能とする画像処理装置を得ることを課題とする。
【０００５】
【課題を解決するための手段】
本発明は、原稿画像を読み取る読取手段からの入力画像を処理する画像処理装置において、原稿の地肌レベルを検出する地肌検出手段と、出力画像の濃度情報を設定する濃度設定手段と、前記濃度設定手段で設定された濃度指示情報の濃度が高いほど地肌レベルのオフセット値が小さくなるように地肌レベルオフセット値を設定するオフセット値設定手段と、前記地肌検出手段により検出された地肌レベルと前記オフセット値設定手段により設定された地肌レベルオフセット値に基づいて前記入力画像に対して地肌除去を行なう除去手段と、前記濃度指示情報に応じて前記除去手段による地肌除去後の画像の濃度を調整する調整手段とを設けたことを特徴とする。
オフセット値設定手段は、原稿が片面原稿であるか両面原稿であるかの情報、読取手段の読み取り対象が移動原稿か固定原稿かの情報、指示された原稿の属性情報（すなわち、原稿が写真、文字、あるいは写真・文字の混在）等のパラメータのいずれかまたはそれらの組合せに基づいて前記オフセット値の設定処理をする。
【０００６】
また、本発明は、原稿画像を読み取る読取手段からの入力画像を処理する画像処理装置において、原稿の地肌レベルを検出する地肌検出手段と、原稿の透過率を検出する透過率検出手段と、前記透過率検出手段により検出された透過率が高いほど地肌レベルのオフセット値が高くなるように地肌レベルオフセット値を設定するオフセット値設定手段と、前記地肌検出手段により検出された地肌レベルと前記オフセット値設定手段により設定されたオフセット値に基づいて前記入力画像に対して地肌除去を行なう除去手段とを設けたことを特徴とする。
また、本発明は、原稿画像を読み取る読取手段からの入力画像を処理する画像処理装置において、原稿の地肌レベルを検出する地肌検出手段と、前記読取手段の読み取り対象が移動原稿のときには地肌レベルオフセット値が高くなるように設定し、固定原稿のときには地肌レベルオフセット値が低くなるように設定するオフセット値設定手段と、前記地肌検出手段により検出された地肌レベルと、前記オフセット値設定手段により設定された地肌レベルオフセット値に基づいて前記入力画像に対して地肌除去を行う除去手段とを設けたことを特徴とする。
【０００７】
【作用】
濃度指示情報に応じてオフセット値を設定する発明において、地肌検出手段により検出された地肌レベルと、設定手段により濃度指示情報に応じて設定されたオフセット値に基づいて出力画像に対して除去手段により地肌除去を行う。地肌除去後の画像に対して濃度指示情報に従って調整手段が濃度を調整する。
これにより地肌除去を行うと共に、濃度の濃くするよう指定された場合に、図２（ｂ）に例示するように濃度指示の濃度の段階が高くなるほどオフセット値が小さくなるように設定できるので、低濃度部も再現させることが可能となる。
また、オフセット値設定手段は原稿が片面原稿であるか両面原稿であるかの情報に応じて例えば図２（ａ）に例示するように両面原稿の場合のオフセット値を高く設定することにより裏写りを防ぐことができる。
また、移動原稿か固定原稿かの情報に応じて例えば図２（ａ）に示すように移動原稿の場合のオフセット値を高めに設定することにより適切な地肌除去を行うことができる。
また、原稿属性が写真か文字かあるいは両者の混在かに応じて、例えば図２（ａ）に示すように写真の場合のオフセット値を低く、文字の場合のオフセット値を高く、混在の場合はその中間に設定することによって、写真は低濃度まで再現させ、文字は低品質原稿のざらつきを再現させない。
【０００８】
原稿透過率を検出する透過率検出手段を有し、検出した原稿透過率に応じてオフセット値を設定する発明において、地肌検出手段により検出された地肌レベルと設定手段により原稿透過率に応じて設定されたオフセット値に基づいて、除去手段は出力画像に対して地肌除去を行う。図５（ｂ）に例示するように原稿透過率が高いときにはオフセット値を高くすることにより、原稿の裏写りを防止することができる。
【０００９】
【発明の実施の形態】
図１は本発明の第１の実施例の構成を示すブロック図である。
本実施例による画像処理装置は、原稿画像を読み取る読取部（図示せず）で読みとった画像情報を入力し、階調特性を補正する入力階調補正部１と、その入力階調補正部１で階調補正された入力画像に対して、ＭＴＦ（ｍｏｄｕｌａｔｉｏｎ ｔｒａｎｓｆｅｒ ｆｕｎｃｔｉｏｎ）補正、画像の編集、画像の圧縮蓄積等の種々の必要に応じた処理を行う画像処理部２と、入力画像から原稿の地肌の濃度を検出する地肌検出部３と、濃度調整のための濃度ボタン、原稿の属性を指定する原稿モードの指定ボタン等の各種の指示や表示を行うユーザインタフェース部４と、地肌濃度に対するオフセット値を設定するオフセット設定部５と、地肌検出部３で検出された地肌濃度とオフセット設定部５で設定されたオフセット値に基づいて地肌除去値を求め、画像処理部２で画像処理された画像に対して地肌除去を行う地肌除去部６と、ユーザインタフェース４により指定された濃度指示情報（濃度調整段階）に従って地肌除去後の画像に対して濃度調整を行う濃度調整部７と、地肌除去した画像に対して出力階調の補正を行う出力階調補正部８とを備えている。
【００１０】
以上のように構成された画像処理装置の動作においては、まず、入力画像は入力階調補正部１によって例えば反射率として読み取られた画像をＬ＊に変換する階調補正がなされ、画像処理部２と地肌検出部３におくられる。地肌検出部３では各走査ラインごとに地肌濃度値（ｂｋｇ＿ｏｒｉｇ）が検出される。各走査ライン上の所定画素範囲ごとに予め定めた濃度範囲の画素の濃度の平均をとって地肌濃度値とする。リアルタイムで処理する場合においては、地肌除去を行っている走査ラインの隣接する１ないし数ライン前の走査ラインにおいて検出された地肌濃度値を地肌除去の際に用いる。各走査ライン毎に検出するかわりにプレスキャンによってあらかじめ原稿全面のデータを得、この原稿全面のデータを基にして地肌濃度値を決定するようにしてもよい。なお、地肌の検出方法は公知であり（例えば、特開平３−６８２７０号公報参照）、本発明ではいかなる公知の検出方法を採用してもよい。
【００１１】
オフセット設定部５は、図２（ｃ）に一例を示すように、標準オフセット値テーブル５１、濃度調整段階に対応した係数を求める変換テーブル５２、および標準オフセット値テーブル５１で得られた標準オフセット値（ｏｆｆ）と濃度調整段階の係数とを乗算する乗算部５３からなっている。ここで設定されるオフセット値（ｏｆｆｓｅｔ）は、標準オフセット値テーブル５１のテーブル索引によりオフセット基準値（ｏｆｆ）を求め、変換テーブル５２で得た濃度調整段階からの修正係数を乗算部５３により乗算して得られるものである。
標準オフセット値テーブル５１のテーブルの内容の一例を図２（ａ）に示す。このテーブルは、▲１▼原稿読取部が原稿固定式であるか原稿移動式であるか、▲２▼読取り対象の原稿が片面原稿であるか両面原稿であるか、▲３▼原稿の属性が写真であるか、文字であるかまたは写真・文字の混在するものであるか等の情報と標準オフセット値を対応させたテーブルである。
同図に示すように、両面原稿の場合は裏面の印写物が表に透けているいわゆる裏写りが生じるので、これを除去するするように片面原稿よりオフセット標準値を高く設定されている。
原稿読取り部の方式が原稿移動式の場合は原稿固定式に比べてノイズが生じやすいので、原稿固定式よりも標準オフセット値を高く設定している。原稿が写真である写真モードに対しては、細かな階調表現を損なわないように原稿固定式であるか否かによって標準オフセット値に差をつけていない。
また、写真モードと文字モードとでは文字モードの方が標準オフセット値が高く設定されている。混在モードは写真モードと文字モードの中間に設定されている。
【００１２】
以上のような構成を持つ標準オフセット値テーブル５１に、索引の条件として前述の▲１▼原稿固定／移動、▲２▼片面／両面、▲３▼写真／文字／混在の情報を与えることによって、対応するオフセット標準値（ｏｆｆ）が取り出される。原稿固定／移動の情報は、原稿が原稿送り装置（図示せず）に載置されたことをシステムが検出した際には原稿移動が標準オフセット値テーブル５１に与えられる。写真／文字／混在の情報および片面／両面の情報はユーザインタフェース部４によりユーザが指定した内容から取り出される。
【００１３】
係数への変換テーブル５２は図２（ｂ）の表における１列〜２列を内容とするものであり、濃度調整段階（この例の場合、薄く３〜普通〜濃く３の間の７段階）に対応する標準オフセット値を修正する係数からなるテーブルである。ユーザインタフェース部４によりユーザが濃度調整段階を指定すると、その指定された濃度調整段階に対応する係数を取出し乗算部５３へ送る。係数は濃度調整段階が「普通」のとき１とし、それより「濃く１」、「濃く２」、「濃く３」と濃くなるにつれて係数値を小さくし、「薄く１」、「薄く２」、「薄く３」と薄くなるにつれて係数値を大きく設定されている。従って、地肌除去を行ないながらも”濃度を濃く”と指定された場合は原稿の低濃度部も再現させることが可能となる。
【００１４】
乗算部５３では、標準オフセット値テーブル５１で得られた標準オフセット値（ｏｆｆ）に、テーブル５４で求めた係数を乗算し、オフセット値を算出する。例えば図２（ｂ）のテーブルの第３列に示すように、濃度調整段階の”濃く３”はオフセット基準値（ｏｆｆ）に”０”を乗算してｏｆｆｓｅｔ値＝０となる。また濃度調整段階の”薄く３”であればｏｆｆｓｅｔ＝ｏｆｆ×１．６となる。このオフセット値は地肌除去部６へ送られる。
【００１５】
なお、本実施例ではオフセット設定部５をルックアップテーブルと演算部とで構成した例を示したが、１つのルックアップテーブルとして構成することも可能である。
【００１６】
地肌除去部６は、オフセット設定部５で決定されたオフセット値（ｏｆｆｓｅｔ）と地肌検出部３により検出された地肌濃度値（ｂｋｇ＿ｏｒｉｇ）とを加算して地肌除去値（ｂｋｇ＿ｏｒｉｇ＋ｏｆｆｓｅｔ）を求め、得られた地肌除去値以下の濃度を０（白）とし、それ以上の濃度に対してコントラスト調整を行なう。
なお、地肌除去値にはマスク関数処理を施して値を特定の範囲に制限している。この例の場合、０＝＜地肌除去値＝＜２５５としている。
【００１７】
図３は、入力画像とｂｋｇ＿ｏｒｉｇとｏｆｆｓｅｔの関係を模式的に表したものである。地肌検出結果（ｂｋｇ＿ｏｒｉｇ）にオフセット値（ｏｆｆｓｅｔ）を加算したレベルで地肌除去を行うことにより、裏写りその他の低レベルのノイズ成分を除去することができる。
【００１８】
地肌除去部６による地肌除去後の画像デ−タは、ユーザインタフェース（図示せず）からの指示にしたがって濃度調整部７で濃度調整される。
その後出力階調補正部８で出力階調補正され出力される。
【００１９】
本実施例によれば、地肌除去を行ないながらも”濃度を濃く”と指定された場合は原稿の低濃度部も再現させることが可能となる。
また、本実施例では、原稿が両面原稿であるときに、オフセット値を多めに設定するようにしたので、裏写りを低減することができる。  また、本実施例では、原稿の属性によりオフセット値を制御し、属性が”写真”であればオフセット値が小さくなるよう設定することにより低濃度まで再現させ、属性が”文字”であればオフセット値が大となるよう設定することにより低品質原稿のざらつきも再現させない。
また、原稿読取部を原稿固定式あるいは原稿移動式というように複数持つ場合、その特性にあわせて適切に地肌除去法を行なうことが可能となる。
【００２０】
（第２の実施例）
図４は第２の実施例の構成を示す図である。第１の実施例と主として異なるのは、オフセットを原稿の透過率を基に制御するよう構成した点である。
即ち、図４において入力階調補正部１、画像処理部２、地肌検出部３、ユーザインタフェース部４、オフセット設定部５、地肌除去部６、濃度調整部７、出力階調補正部８等は第１の実施例の対応する要素とほぼ同じ機能のものであり、対応する要素には同一の参照符号を付している。オフセット設定部５と出力階調補正部８は第１の実施例と若干の機能の相違があり、原稿透過率検出部９は第１の実施例には設けられていないものである。原稿透過率検出部９は例えば原稿が通過するいずれかの位置において原稿の片面側に光源を他の片面側に光センサを配置して通過光量を測ることによって検出することができる。
【００２１】
図５（ｃ）は第２の実施例におけるオフセット設定部５の構成を示すものである。原稿透過率検出部９は、原稿の透過率を検出する。本例では図５（ｂ）に示すように透過率を３段階に分類し、これに対応して標準オフセット値を修正する係数を設定している。即ち透過率を、原稿透過なし、原稿透過率が低い、原稿透過率が高いの３段階に分け、それに対応して係数を０、１、１．６を割り当てており、原稿透過率検出部９の出力する原稿透過率を変換テーブル５４により係数に変換する。透過のない原稿の係数は０であり従ってオフセット値も０となる。原稿透過率が低い場合には係数１であり従ってオフセット値は標準オフセット値に一致する。原稿透過率が高いときには係数が１．６であり従ってオフセット値が大きくなる。このように原稿透過率が高いときにオフセット値が多くなるようにしたので、原稿の裏写りを防ぐことができる。
乗算部５５は標準オフセット値テーブル５１の出力する標準オフセット値とテーブル５４の出力する係数を乗算し、オフセット値ｆｓｅｔ）を地肌除去部６に送る。地肌濃度値（ｂｋｇ＿ｏｒｉｇ）とオフセット値（ｏｆｆ）による地肌除去の機能は第１の実施例と同じである。
【００２２】
出力階調補正部８は複数の出力階調補正パターンを有し、入力画像が最後の出力階調補正部８において前記の原稿透過率検出手段で得られた値により出力階調補正パタ−ンを選択する。
原稿の読取り方式によって読取り画像の特性は異なる。一般に、原稿固定式の場合はプラテンは白く、原稿移動式の場合バックプラテン色は黒い。従って、原稿の読取り方式によっても、選択する階調パターンは変更する。
【００２３】
図６（ａ）は原稿透過率と選択すべき出力階調のパターンとの対応を関係示す。同図（ｂ）〜（ｄ）は出力階調パターンの入出力特性を示す図である。
まず、原稿の読取り方式が原稿固定式の場合、原稿透過率が０（透過なし）のときには図６（ｂ）に示すような入出力が等しい特性を持ったスルー階調パターン即ち階調補正を行わないパターンを選択し、原稿透過率が低いときには同図（ｃ）に示すような濃度がごく低い例えば低い領域で補正を施す低透過率用階調補正パターンを選択し、原稿透過率が高いときには前記スルー階調パターンを選択する。
原稿読取り方式が原稿移動式の場合は、原稿透過率なしおよび原稿透過率低いのいずれも図６（ｂ）のスルー階調パターンを選択し、原稿透過率が高いとき図６（ｄ）に示す階調強調パターンを選択する。バックプラテン色が黒の原稿移動式の場合に原稿透過率が高い例えばトレーシングペーパの原稿を読み取ると、背景部分が灰色となり、はっきりしない図や文字の画像となるので、白はより白く、黒はより黒くなるような特性の階調補正をすることにより、明瞭な出力画像が得られる。
これにより透過率検出手段により得られた原稿透過率に応じて適切な出力階調補正パターンを選択して階調補正をすることができると共に、前述の原稿透過率に応じた地肌除去値のオフセット値の制御ができるので、原稿の裏写りを防ぐことができる。
【００２４】
【発明の効果】
本発明によれば、地肌除去を行うと共に、濃度の濃くするよう指定された場合に、図２（ｂ）に例示するように濃度指示の濃度の段階が高くなるほどオフセット値が小さくなるように設定できるので、低濃度部も再現させることが可能となる。
また、本発明によれば、原稿が片面原稿であるか両面原稿であるかの情報に応じて例えば図２（ａ）に例示するように両面原稿の場合のオフセット値を高く設定することにより裏写りを防ぐことができる。
また、本発明によれば、移動原稿か固定原稿かの情報に応じて例えば図２（ａ）に示すように移動原稿の場合のオフセット値を高めに設定することにより適切な地肌除去を行うことができる。
また、本発明によれば、原稿属性が写真か文字かあるいは両者の混在かに応じて、例えば図２（ａ）に示すように写真の場合のオフセット値を低く、文字の場合のオフセット値を高く、混在の場合はその中間に設定することによって、写真は低濃度まで再現させ、文字は低品質原稿のざらつきを再現させない。
【００２５】
本発明の原稿透過率を検出する透過率検出手段を有し、検出した原稿透過率に応じてオフセット値を設定する構成によれば、図５（ｂ）に例示するように原稿透過率が高いときにはオフセット値を高くすることにより、原稿の裏写りを防止することができる。さらに、原稿透過率に基づいて出力階調補正手段により出力階調のパターンの適切なものを選択し補正することにより、従来、画像形成装置の現像、帯電、露光などの値の制御によって行っていたのを、ディジタル画像処理によって行うことができるので、それらの画像形成装置の現像、帯電、露光などの値の制御回路を簡素化することができる。
【図面の簡単な説明】
【図１】  本発明の第１の実施例を示すブロック図
【図２】  （ａ）は標準オフセット値テーブルの内容例、（ｂ）は濃度調整段階とオフセット値の関係を示す図、（ｃ）はオフセット設定部５の構成例を示す図
【図３】  地肌検出結果とオフセットとの関係を示す図、
【図４】  本発明の第２の実施例を示すブロック図
【図５】  （ａ）は標準オフセット値テーブルの内容例、（ｂ）は原稿透過率とオフセット値の関係を示す図、（ｃ）はオフセット設定部５の構成例を示す図、
【図６】  原稿透過率に応じた出力階調補正決定方法を説明するための図で、（ａ）は原稿透過率に応じて選択する階調パターン、（ｂ）、（ｃ）および（ｄ）は階調パターンの特性例を示す図。
【符号の説明】
１…入力階調補正部、２…画像処理部、３…地肌検出部、４…ユーザインタフェース部、５…オフセット設定部、６…地肌除去部、７…濃度調整部、８…出力階調補正部、９…原稿透過率検出部。
【図１】
0003974236.tif 000002
【図２】
0003974236.tif 000003
【図３】
0003974236.tif 000004
【図４】
0003974236.tif 000005
【図５】
0003974236.tif 000006
【図６】
0003974236.tif 000007